(57)【要約】      （修正有）【課題】空箱のときもスペースを取らないように、組立て式または折畳み式の茸類栽培用の菌床コンテナを提供する。【解決手段】六面が広く開放する四角立方体のコンテナ本体と、その底部に着脱可能に止める通気性の底板とからなる茸類栽培用の菌床コンテナにおいて、コンテナ本体について、平たく積み重ね得る複数の部材に分割するとともに連結し得るようにした組立式に、又は屈折により縦若しくは横に縮め得る折畳式にした。空箱となったときにスペースを取らないように、組立て式または折畳み式としたので、使用しない間の待機状態にしておく時や、空箱として運搬や保管をする際に、コンパクトに縮めて場所を取らないように都合良く仕舞っておいたり荷台に積載できる。【選択図】図１
0003143549.tif 000002
【実用新案登録請求の範囲】
【請求項１】
六面が広く開放する四角立方体のコンテナ本体と、その底部に着脱可能に止める通気性の底板とからなる茸類栽培用の菌床コンテナにおいて、コンテナ本体について、平たく積み重ね得る複数の部材に分割するとともに連結し得るようにした組立式に、又は屈折により縦若しくは横に縮め得る折畳式にしたことを特徴とする茸類栽培用の菌床コンテナ。
【請求項２】
組立式の茸類栽培用の菌床コンテナにおいて、コンテナ本体が、それぞれ四角い窓形の前後側面枠と左右側面枠とに分割され、隣接する側面枠どうしの連結が凹部と凸部との噛み合いによる組立式として構成してあることを特徴とする請求項１記載の茸類栽培用の菌床コンテナ。
【請求項３】
折畳式の茸類栽培用の菌床コンテナにおいて、コンテナ本体がその高さ又は幅に対してく字形に屈折可能に形成され、く字形の屈折による折畳式として構成してあることを特徴とする請求項１記載の茸類栽培用の菌床コンテナ。
【考案の詳細な説明】
【技術分野】
【０００１】
この考案は、栽培棟において椎茸等を人工栽培する場合に、それを発芽させるブロック状の菌床を発芽する状態に熟成管理するために並べておく茸類栽培用の菌床コンテナに関する。
【背景技術】
【０００２】
現在、椎茸等の人工栽培においては、コナラ、サクラ、クヌギ等の広葉樹の原木に種菌を接種したほだ木を用いる原木栽培に代えて、広葉樹等のおが屑や米ぬか、ふすま等に栄養分を補充して水でブロック状に練り固めた菌床を用いる菌床栽培が採用されることが多いが、この考案の出願人においては、茸類が発芽するまでその菌床を並べておく茸類栽培用の菌床コンテナを開発し提案した（特願２００７−１２２３９４号）。
【０００３】
図７がその茸類栽培用の菌床コンテナＱを台車Ｔと共に示したもので、菌床コンテナＱは、コンテナ本体６０と、菌床６２を並べる網目状の底板６４とからなり、コンテナ本体６０は、底面部となる下部枠６６と上面部となる上部枠６７との間にその双方を四隅でそれぞれ連結する縦枠６８を介在させ、全体をプラスチックにより一体成形したもので、六面が広く開放した立体形であって、下部枠６６に底板６４の受け片７０と、下のコンテナに積み重ねの際の糸底状の内縁片７２とが形成されている。なお、この場合は、菌床６２を受ける剣山様の受け皿７４が底板６４の網目に差して使用されるようになっている。
【考案の開示】
【考案が解決しようとする課題】
【０００４】
上記のような、茸類栽培用の菌床コンテナは、通気性および通水性が良好であるため、空調が完備された栽培棟の中において、台車Ｔ等の上に積み重ねた状態で使用することにより、温度・湿度等の調整とともに、散水等を施すことにより、菌糸が行き渡る完熟状態にまで育成するために合理的に管理できるものであるが、使用しない言わば空き箱の状態では、積み重ねに場所を取るという問題があった。
【０００５】
この考案は、上記のような実情に鑑みて、空箱のときもスペースを取らないように、組立て式または折畳み式の茸類栽培用の菌床コンテナを提供することを課題とした。
【課題を解決するための手段】
【０００６】
上記の課題を解決するために、この考案は、六面が広く開放する四角立方体のコンテナ本体と、その底部に着脱可能に止める通気性の底板とからなる茸類栽培用の菌床コンテナにおいて、コンテナ本体について、平たく積み重ね得る複数の部材に分割するとともに連結し得るようにした組立式に、又は屈折により縦若しくは横に縮め得る折畳式にしたことを特徴とする茸類栽培用の菌床コンテナ茸類栽培用の菌床コンテナを提供するものである。
【考案の効果】
【０００７】
上記したように、この考案の茸類栽培用の菌床コンテナによれば、空箱となったときにスペースを取らないように、組立て式または折畳み式としたので、使用しない間の待機状態にしておく時や、空箱として運搬や保管をする際に、コンパクトに縮めて場所を取らないように都合良く仕舞っておいたり荷台に積載できるという優れた効果がある。
【考案を実施するための最良の形態】
【０００８】
次に、この考案の実施形態を図面に基づいて説明する。
【０００９】
図１および図２は、組立式としの茸類栽培用の菌床コンテナＰａを示したもので、その菌床コンテナＰａは、コンテナ本体１と底板３とからなるが、さらにコンテナ本体１は、それぞれ別々に成形された前後側面枠５，５と左右側面枠７，７で矩形の外周が組み立てられる。そして、中に網状の底板３が納められる（図７参照）。
【００１０】
前後側面枠５，５と左右側面枠７，７との端には、互いに差し合う複数の凹部９と凸部１１とが形成され、相互に連続する凸部１１，１１，・・の並びが内側から見て柱状１４であって、その中心に芯材１５の通し孔１７が連続して通しに形成されている。そこで、凹部９と凸部１１とを噛み合わせてから、通し孔１７に芯材１５を差し込むと前後側面枠５，５と左右側面枠７，７とが決して外れなくなる。
【００１１】
芯材１５としては、プラスチックや金属、竹等の線材や棒材を使用できる。組み立てたコンテナ本体１には上から底板３を弾性変形させならが差し込み、各側面枠５，７の下端に有する受け片１９に掛け止めることにより組立てが完了する。なお、各受け片１９には、積み上げ下位となるコンテナ本体１の上端開口の縁に掛かる糸底状の内縁片２１が垂設されている。
【００１２】
図３および図４は、折畳式の茸類栽培用の菌床コンテナＰｂを示したもので、それぞれ矩形の上部枠２３と下部枠２５との間に、各隅角において縦枠２７，２７，２７，２７を介在させたもので、各縦枠２７をく字形方向へ屈折させることにより縦方向に高さで低く折り畳まれるようになっている。
【００１３】
縦枠２７は、コ字形のチャンネル部材が使用され、二つの部材２７ａ、２７ａに分割して蝶番２９で連結し、上下両端を上部枠２３と下部枠２５とに別の蝶番３１，３１で連結してある。縦枠２７は、それぞれ前後両面に沿って内側に折曲がるように、中間の蝶番２９については軸部を外側に、上下蝶番３１，３１については軸部を内側に向けてある。そして、軸部により開く両羽片を、中間の蝶番２９では部材２７ａ，２７ａの端面に、上下蝶番３１，３１では、一片を縦枠２７の端面に、他片を上部枠２３の上片下面または下部枠２５の下片上面に固着してある。羽片の固着には接着やビス止め等の手段が用いられる。
【００１４】
図４は、二点鎖線により高さを縮めて折し畳んだ状態を示したもので、この場合は、縦枠２７が内側に折り込まれるが、外側に折り込まれるようにすることも可能である（図７の（ｂ）図参照）。ちなみに、その場合は、中間の蝶番２９、上下蝶番３１，３１は、軸部が内外逆になる。折り畳んだ状態から箱型に組み立てた状態（実線）においては、縦枠２７が真っ直ぐの状態を保持するように、各中間の蝶番２９にはクリップ３３を差し込んで、その開きが阻止されるようになっている。
【００１５】
実施形態は、上記の他に様々となるもので、そのことを図５および図６において概略的ないし模式的に示す。
【００１６】
図５は、組立式の茸類栽培用の菌床コンテナＰａについて、組み外したときの各部材を並べて示したもので、前後側面枠５，５と左右側面枠７，７と底板３とからなる。これらを重ねてコンパクトに積み重ねて仕舞い、また、これらを箱型に組み立てて使用する。組み立ての連結手段は上記以外に様々となる。
【００１７】
図６は、折畳式の茸類栽培用の菌床コンテナＰｂについて、上部枠２３と下部枠２５との間の縦枠２７をく字型に曲げて高さを低く折り畳む状態（図は中途の状態）を示し、（ａ）図は、縦枠２７が内側に、（ｂ）図は外側へ屈折している。この屈折には、蝶番の他に、プラスチック等の折曲げヒンジを使用でき、また、ピン連結等の手段を用いることもできる。また、横方向に縮めて折り畳むようにすることも可能である（図示は省略するが、図６の両図を上から見た図と同じ）。
【図面の簡単な説明】
【００１８】
【図１】この考案に係る組立式の茸類栽培用の菌床コンテナを示す（底板の収納前の）斜視図である。
【図２】同実施形態における要部を組立て要領で示す拡大分解斜視図である。
【図３】この考案に係る折畳式の茸類栽培用の菌床コンテナを示す一部切欠した（底板の収納前の）斜視図である。
【図４】同実施形態における要部を（折畳み状態を二点鎖線で）示す正面から見た拡大断面図である。
【図５】この考案の組立式の茸類栽培用の菌床コンテナの組立て前（組外し後）の状態を概略的ないし模式的に示す平面図である。
【図６】この考案の（ａ）図、（ｂ）図の異なる形態の折畳式の茸類栽培用の菌床コンテナを折畳み要領で概略的ないし模式的に示す正面図である。
【図７】この考案に先行する茸類栽培用の菌床コンテナを示す分解斜視図である。
【符号の説明】
【００１９】
Ｐａ  組立式の茸類栽培用の菌床コンテナ
Ｐｂ  折畳式の茸類栽培用の菌床コンテナ
１  コンテナ本体
３  底板
５  前後側面枠
７  左右側面枠
９  凹部
１１  凸部
２３  上部枠
２５  下部枠
２７  く字形の屈折可能な縦枠
【図１】
0003143549.tif 000003
【図２】
0003143549.tif 000004
【図３】
0003143549.tif 000005
【図４】
0003143549.tif 000006
【図５】
0003143549.tif 000007
【図６】
0003143549.tif 000008
【図７】
0003143549.tif 000009